(57)【要約】【課題】加熱素子、特にＰＴＣ素子を備えた改良された暖房装置を提供する。【解決手段】暖房装置、特に自動車用の暖房装置であって、構造群によって形成される加熱区画（８）の一部である少なくとも１つの加熱素子、特にＰＴＣ素子を有し、複数の並置された構造群が暖房装置（１）の一部であり、１つの構造群の横に、または２つの構造群の間に、１つの流れ抵抗要素が配置されている。【選択図】図１
2008508132.tif 000002
【特許請求の範囲】
【請求項１】
暖房装置、特に自動車用の暖房装置であって、構造群によって形成される加熱区画（８）の一部である少なくとも１つの加熱素子、特にＰＴＣ素子を有し、複数の並置された構造群が暖房装置（１）の一部である暖房装置において、１つの構造群の横に、または２つの構造群の間に、１つの流れ抵抗要素が配置されていることを特徴とする暖房装置。
【請求項２】
流れ抵抗要素が格子要素（１４）であることを特徴とする、請求項１記載の暖房装置。
【請求項３】
流れ抵抗要素が枠（９）に取付けられていることを特徴とする、請求項１記載の暖房装置。
【請求項４】
流れ抵抗要素がプラスチック部品または金属部品であることを特徴とする、先行請求項のいずれか１項記載の暖房装置。
【請求項５】
流れ抵抗要素が枠（９）に射出成形されていることを特徴とする、先行請求項のいずれか１項記載の暖房装置。
【請求項６】
同一構成された多数の構造群が暖房装置（１）内に設けられていることを特徴とする、先行請求項のいずれか１項記載の暖房装置。
【請求項７】
暖房装置（１）が、断熱構成された枠（９）を含むことを特徴とする、先行請求項のいずれか１項記載の暖房装置。
【請求項８】
間座（１２；１３）を備えた枠（９）が設けられており、これらの間座が、相付設された接触板（３、４）および／または波形フィン（６）の間に配置されていることを特徴とする、先行請求項のいずれか１項記載の暖房装置。
【請求項９】
構造群および流れ抵抗要素を取り囲む枠（９）が少なくとも２部分で構成されており、個々の要素がクリップ結合によって互いに結合されていることを特徴とする、先行請求項のいずれか１項記載の暖房装置。
【請求項１０】
構造群が少なくとも２つの波形フィン（６、６’）を有し、波形フィンが２つの接触板（３、４）の外面に配置されており、接触板の間に１つの加熱素子、特にＰＴＣ素子（２）が設けられていることを特徴とする、先行請求項のいずれか１項記載の暖房装置。
【請求項１１】
加熱素子を介装した接触板（３、４）が実質同一構造に実施されおよび／または互いに鏡像対称に配置されていることを特徴とする、先行請求項のいずれか１項記載の暖房装置。
【請求項１２】
接触板（３、４）と波形フィン（６）との接触側とは反対の側に他の接触板（１５）と他の波形フィン（１６）が取付けられていることを特徴とする、請求項１０または１１記載の暖房装置。
【請求項１３】
暖房装置（１）が複数の独自した加熱区画（８）を含むことを特徴とする、請求項１〜１１のいずれか１項記載の暖房装置。
【発明の詳細な説明】
【技術分野】
【０００１】
本発明は、特に自動車用の暖房装置であって、構造群によって形成される加熱区画の一部である少なくとも１つの加熱素子、特にＰＴＣ素子を有し、複数の並置された構造群が暖房装置の一部であるものに関する。
【背景技術】
【０００２】
特許文献１により乗用車用のＰＴＣ素子を有する暖房装置が公知であり、補助ヒータは補助ヒータの運転時に加熱空気を流通させるヒータコアと、車室内の足元領域に、加熱空気が誘導される少なくとも１つの空気吹出し口とを備えている。車室内で垂直方向温度積層を柔軟に生成し、特に後部座席でも快適に感じられるようにするために、ヒータコアは電気ＰＴＣ素子として形成され、足元領域の空気吹出し口に直接配置されている。このような補助ヒータにはなお要望が残る。開示された１実施例によれば、ＰＴＣ素子は複数の加熱ハニカムの態様で、空気吹出し口を囲む詳しくは述べられないプラスチック枠のなかに配置されている。
【特許文献１】独国特許出願公開第１０１４４７５７号明細書
【発明の開示】
【発明が解決しようとする課題】
【０００３】
本発明の課題は、加熱素子、特にＰＴＣ素子を備えた改良された暖房装置を提供することである。
【課題を解決するための手段】
【０００４】
この課題は、１つの構造群の横に、または２つの構造群の間に、１つの流れ抵抗要素が配置されていることによって解決される。有利な諸構成は従属請求項の対象である。
【発明の実施の形態】
【０００５】
本発明によれば、特に自動車用の暖房装置が、構造群によって形成される加熱区画の一部である少なくとも１つの加熱素子、特にＰＴＣ素子を備えて設けられており、複数の並置された構造群が暖房装置の一部であり、１つの構造群内に、または２つの構造群の間に、好ましくは格子要素として形成される特に１つの空気流れ抵抗要素が配置されている。選択的に、この流れ抵抗要素は平面的有孔要素として構成しておくこともできる。流れ抵抗要素は過度に速い空気流通を妨げ、暖房装置の熱伝達が著しく改善される。その際、格子要素は安価に製造可能であり、簡単に組付けることができる。さまざまな暖房装置用に好ましくは同一に構成される構造群は大量個数製造することができるので、製造費を下げることができ、ロジスティクスを簡素にすることができる。さらに、個々の構造群の間に流れ抵抗要素を設けることによって同じ構造群をごく多様に利用することができる。
【０００６】
流れ抵抗要素は好ましくは枠に、特に断熱構成されたプラスチック枠に取付けられており、この枠は構造群も受容する。流れ抵抗要素は好ましくはプラスチックからなり、主に枠に射出成形されている。他の変更態様において流れ抵抗要素は金属部品として実施されている。
【０００７】
枠は好ましくは多部分で構成されている。個々の枠要素は好ましくはクリップ結合によって互いに結合されており、これによりごく簡単かつ迅速な組付けが工具なしに可能である。
【０００８】
組付けを簡略化するために枠に主に間座が設けられており、間座は相付設された接触板および／または波形フィンの間に配置されている。
【０００９】
構造群は主に少なくとも２つの波形フィンを有し、波形フィンは２つの接触板の外面に配置されており、接触板の間に１つの加熱素子、特にＰＴＣ素子が設けられている。構造群は１つ、２つまたは場合によってはそれ以上の波形フィンだけ拡張することができ、その際好ましくは２つの波形フィンの間に１つの接触板が設けられている。そのことから、コア領域の同一構造において構造群の幅の比較的可変な態様が可能になる。好ましくは、加熱素子を介装した接触板は実質同一構造に実施されおよび／または互いに鏡像対称に配置されている。
【００１０】
暖房装置は、一緒に制御される加熱区画も、特に多域空調装置の場合相互に独自に制御される加熱区画も、含むことができる。
【００１１】
以下、図面を参考に２つの実施例に基づいて本発明が詳しく説明される。
【実施例】
【００１２】
第１実施例によるＰＴＣ暖房装置１ではセラミックスＰＴＣ素子２が、互いに平行に配置される２つの接触板３（プラス極）、４（マイナス極）の間で、ここでは接着剤（図示せず）によって貼付けられている。選択的に、例えば蝋結合を設けておくこともできる。
【００１３】
それぞれＰＴＣ素子２とは反対の接触板３、４の側に、相応する接着結合によって波形フィン６が取付けられている。各２つの波形フィン６と、その間に配置される２つの接触板３、４と、接触板３、４の間に配置される１つのＰＴＣ素子２が、構造群として構成される１つの加熱区画８を形成する。暖房装置１は３つの加熱区画８［によって］形成される。前記暖房装置１の周りに、ここではポリアミドからなるプラスチック枠９が配置されている。空気の流れ方向は図１において目視方向にある。
【００１４】
接触板３、４の間に１３Ｖの電圧が印加される。しかし電圧はそれより高くし、例えば４８Ｖとすることもできる。接触板３、４はプラスチック枠９の片側で張出し、プラグ９を形成する。
【００１５】
両方の接触板３、４を離間保持するために間座１２が設けられており、間座は内方に突出する突条部としてプラスチック枠９に構成されており、接触板３、４の末端の片側で接触板の間に入り込む。反対側ではプラスチック枠９に第２間座１３が設けられ、波形フィン６の間に突出している。
【００１６】
その際、加熱区画８はさまざまな枠９に嵌挿することのできる標準要素として利用することができ、これにより製造費が低下する。加熱区画８を任意の枠９に嵌挿できるように、そして空気が過度に速く暖房装置１内を流通するのを防止して、空気に対する改良された熱伝達を可能とするために、個々の加熱区画８の間の空隙、および最も外側の加熱区画８と枠９との間の空隙に、格子要素１４の態様の流れ抵抗要素が配置されている。格子要素１４はそれぞれ対角線状に配置されるプラスチック格子からなり、プラスチック格子が枠９に一体化され、枠の縁に取付けられ、ここでは射出成形されている。選択的に、例えばワイヤ格子、または条溝付きの延伸板を枠９に取付けておくこともできる。
【００１７】
図３が示す第２実施例による［暖房装置］１は幅広に構成された加熱区画８を有する。その際加熱区画８はＰＴＣ素子２の他に接触板３（プラス極）、４（マイナス極）と波形フィン６、波形フィン６の外側に配置される第２接触板１５とこれに配置される他の波形フィン１６とを含む。ここで３つの加熱区画８は第１実施例の加熱区画８に相応してプラスチック製枠９のなかに配置されており、ここでは単に加熱区画８の間に、第１実施例に相応して構成される各１つの格子要素１４が、つまり合計２つの格子要素１４が、流れ抵抗要素として設けられている。枠９に横方向で配置された位置決め壁１７が最も外側の加熱区画８をその長辺側に沿って枠９内で位置決めする。さらなる位置決めは、第１実施例のものに相応して、枠９と一体に構成された間座によって行われる。
【００１８】
格子要素１４を持たない図５に示す基本バージョンによれば、第２実施例の格子要素１４の代わりに、他の加熱区画８’が設けられている。
【図面の簡単な説明】
【００１９】
【図１】第１実施例による暖房装置の拡大図である。
【図２】図１の暖房装置の斜視図である。
【図３】第２実施例による暖房装置の図である。
【図４】図３の暖房装置の斜視図である。
【図５】第２実施例による暖房装置、但し格子要素のない基本バージョンにおける暖房装置の図である。
【符号の説明】
【００２０】
１  暖房装置
２  ＰＴＣ素子
３  接触板
４  接触板
６、６’  波形フィン
８、８’  加熱区画
９  プラスチック枠
１２  間座
１３  間座
１４  格子要素
１５  接触板
１６  波形フィン
１７  位置決め壁
【図１】
2008508132.tif 000003
【図２】
2008508132.tif 000004
【図３】
2008508132.tif 000005
【図４】
2008508132.tif 000006
【図５】
2008508132.tif 000007
【国際調査報告】
2008508132.tif 000008
2008508132.tif 000009
2008508132.tif 000010
2008508132.tif 000011